(57)【要約】【課題】リサイクルの際、面倒な作業を必要とせず、手間がかからない取っ手付き包装体を提供することを主要な目的とする。【解決手段】本発明に係る取っ手付き包装体６は、天面部７と底面部８とこれらをつなぐ側面部９を有する重量物本体１０と、側面部９から底面部８に跨るように設けられた帯状の取っ手１１と、側面部９を外側から囲むように設けられて熱収縮してなる、側面部９に密着した円筒状熱収縮性フィルム１２とを備える。帯状の取っ手１１の両端部１１ａ，１１ａは、円筒状熱収縮性フィルム１２の側面部９の上における熱収縮力により、側面部９に押し付けられて固定されている。【選択図】図１
2017071411.tif 000002
【特許請求の範囲】
【請求項１】
天面部と底面部とこれらをつなぐ側面部を有する重量物本体と、
前記側面部から前記底面部に跨るように設けられた帯状の取っ手と、
前記側面部を外側から囲むように設けられて熱収縮してなる、前記側面部に密着した円筒状熱収縮性フィルムとを備え、
前記帯状の取っ手の両端部は、前記円筒状熱収縮性フィルムの前記側面部の上における熱収縮力により、前記側面部に押し付けられて固定されている、取っ手付き包装体。
【請求項２】
前記取っ手は、前記円筒状熱収縮性フィルムの内側に配置された滑り止めの付いた帯で形成される、請求項１に記載の取っ手付き包装体。
【請求項３】
前記取っ手は、前記円筒状熱収縮性フィルムの内側に配置された、前記天面部と底面部と前記側面部を包む円筒状の取っ手用熱収縮性フィルムからなる請求項１に記載の取っ手付き包装体。
【請求項４】
前記円筒状熱収縮性フィルムは、前記重量物本体の天面部と底面部と側面部を包むように配置され、
前記円筒状熱収縮性フィルムの、前記底面部に位置する部分に２本の切り込み線が入れられ、該２本の切り込み線で挟まれた部分が熱収縮して前記取っ手を形成している請求項１に記載の取っ手付き包装体。
【請求項５】
天面部と底面部とこれらをつなぐ側面部を有する重量物本体と、
前記重量物本体の前記側面部を外側から囲むように、かつその下方端が前記底面部から下方にはみ出すように設けられて熱収縮してなる、前記側面部に密着した円筒状熱収縮性フィルムと、を備え、
前記円筒状熱収縮性フィルムの前記はみ出し部分が熱収縮して取っ手を形成しており、
前記取っ手の端部は、前記円筒状熱収縮性フィルムの前記側面部の上における熱収縮力により、前記側面部に押し付けられて固定されている、取っ手付き包装体。
【発明の詳細な説明】
【技術分野】
【０００１】
本発明は一般に取っ手付き包装体に関するものであり、より特定的には、熱収縮性ラベルで取っ手の機能を持たせることができるように改良された取っ手付き包装体に関する。
【背景技術】
【０００２】
都市部を中心として、水道水の代用としてミネラルウォーターの利用が進んでいる。図７は、特許文献１に開示されている、ミネラルウォーターなどの各種液体が充填されるウォーターサーバー用ボトル（以下、ＷＳボトルと略す）の斜視図である。図７（Ａ）に示すように、ＷＳボトルは、基本的に、各種液体を収容するボトル本体１と、この下部に取り付けられた帯状の取っ手２とで構成される。取っ手２は、ボトル本体１の底面３を跨ぐように配置され、その両端部２ａ，２ａはボトル本体の側面４に接着剤によって貼り付けられている。ボトル本体１は、例えばＰＥＴ樹脂を素材としている。
【０００３】
図７（Ｂ）に示すように、ボトル本体１をウォーターサーバー５に取り付ける際は、取っ手２に指を掛けて、ボトル本体１を上下逆さまにして首部１ａを下に向ける。この状態で、ウォーターサーバー５中に、中の飲用水が徐々に排出される。
【先行技術文献】
【特許文献】
【０００４】
【特許文献１】特開２０１２−４６２１６号公報
【発明の概要】
【発明が解決しようとする課題】
【０００５】
さて、特許文献１の開示の技術では、取っ手２の端部２ａ，２ａは接着剤によって、側面４に貼り付けられており、リサイクルの際に、接着させた部分を剥がして取っ手２をボトル本体１から単離する作業があり、手間のかかるものであった。
【０００６】
この発明は上記のような問題点を解決するためになされたもので、リサイクル作業に手間がかからないように改良された取っ手付き包装体を提供することを目的とする。
【０００７】
この発明の他の目的は、熱収縮性ラベルで取っ手の機能を持たせることができるように改良された取っ手付き包装体を提供することにある。
【０００８】
この発明の他の目的は、接着剤を用いないで、取っ手を取り付けてなる取っ手付き包装体を提供することにある。
【課題を解決するための手段】
【０００９】
本発明に係る取っ手付き包装体は、天面部と底面部とこれらをつなぐ側面部を有する重量物本体と、上記側面部から上記底面部に跨るように設けられた帯状の取っ手と、上記側面部を外側から囲むように設けられて熱収縮してなる、上記側面部に密着した円筒状熱収縮性フィルムとを備える。上記帯状の取っ手の両端部は、上記円筒状熱収縮性フィルムの上記側面部の上における熱収縮力により、上記重量物本体の側面部に押し付けられて固定されている。
【００１０】
本発明によれば、帯状の取っ手の両端部は、上記円筒状熱収縮性フィルムの上記側面部の上における熱収縮力により、上記重量物本体の側面部に押し付けられて固定される構成しているので、接着剤を使わない。したがって、リサイクルの際、接着剤を剥がすという面倒な作業を必要としない。
【００１１】
上記取っ手は、上記円筒状熱収縮性フィルムの内側に配置された滑り止めの付いた帯で形成されていてもよい。
【００１２】
上記取っ手は、上記円筒状熱収縮性フィルムの内側に配置された、上記重量物本体の天面部と底面部と側面部を包む円筒状の取っ手用熱収縮フィルムから形成されてもよい。
【００１３】
上記円筒状熱収縮性フィルムは、上記重量物本体の天面部と底面部と側面部を包むように配置され、上記円筒状熱収縮性フィルムの、上記底面部に位置する部分に２本の切り込み線が入れられ、該２本の切り込み線で挟まれた部分が熱収縮して上記取っ手を形成しているものであってもよい。
【００１４】
この発明の他の局面に従う取っ手付き包装体は、天面部と底面部とこれらをつなぐ側面部を有する重量物本体を備える。重量物本体の上記側面部を外側から囲むように、かつその下方端が上記底面部から下方にはみ出すように設けられた円筒状熱収縮性フィルムが熱収縮して、上記側面部に密着している。上記円筒状熱収縮性フィルムのはみ出し部分が熱収縮し取っ手を形成している。上記取っ手の端部は、上記円筒状熱収縮性フィルムの上記側面部の上における熱収縮力により、上記側面部に押し付けられて固定されている。
【００１５】
上記円筒状熱収縮性フィルムや取っ手用熱収縮性フィルムは、熱収縮性を有するものであれば特に限定されないが、ポリエステル系樹脂、ポリスチレン系樹脂又はポリオレフィン系樹脂で形成されるのが好ましい。
【発明の効果】
【００１６】
本発明に係る取っ手付き包装体によれば、帯状の取っ手の両端部が、上記円筒状熱収縮性フィルムの上記側面部の上における熱収縮力により、上記重量物本体の側面部に押し付けられて固定される構成としているので、接着剤を使わない。したがって、リサイクルの際、円筒状熱収縮性フィルムを引き裂くだけで、取っ手を単離することができる。その結果、接着剤を剥がすという面倒な作業を必要としない。
【図面の簡単な説明】
【００１７】
【図１】（Ａ）は、本発明の実施の形態１に係る取っ手付き包装体の作成方法を示す斜視図であり、図１（Ｂ）は、熱収縮させた後の図１（Ａ）におけるＢ−Ｂ線に沿う断面図であり、図１（Ｃ）は、取っ手付き包装体を上下逆さまにして、帯状の取っ手を手で掴んだ様子を示す図である。
【図２】（Ａ）は、本発明の実施の形態２に係る取っ手付き包装体の作成方法を示す斜視図であり、（Ｂ）は、熱収縮させた後の図２（Ａ）におけるＢ−Ｂ線に沿う断面図であり、（Ｃ）は、取っ手付き包装体を上下逆さまにして、帯状の取っ手を手で掴む様子を示す図である。
【図３】（Ａ）は、本発明の実施の形態３に係る取っ手付き包装体の作成方法を示す斜視図であり、（Ｂ）は、熱収縮させた後の、図３（Ａ）におけるＢ−Ｂ線に沿う断面図であり、（Ｃ）は、図３（Ａ）におけるＣ―Ｃ線に沿う断面図であり、（Ｄ）は、取っ手付き包装体を上下逆さまにして、帯状の取っ手を手で掴む様子を示す図である。
【図４】（Ａ）は、本発明の実施の形態４に係る取っ手付き包装体の作成方法を示す斜視図であり、（Ｂ）は、熱収縮させた後の図４（Ａ）におけるＢ−Ｂ線に沿う断面図であり、（Ｃ）は、取っ手付き包装体を上下逆さまにして、取っ手を手で掴む様子を示す図である。
【図５】（Ａ）は、本発明の実施例１に係る取っ手付きＷＳボトルの作成方法を示す斜視図であり、（Ｂ）は、熱収縮させた後の、図５（Ａ）におけるＢ−Ｂ線に沿う断面図であり、（Ｃ）は、取っ手付き包装体を上下逆さまにして、帯状の取っ手を手で掴む様子を示す図である。
【図６】（Ａ）、（Ｂ）、（Ｃ）は、重量物本体の他の具体例としての集積体に、取っ手を付けた取っ手付き包装体の作成方法を示す斜視図であり、（Ｃ）は、取っ手付き包装体を上下逆さまにして、帯状の取っ手を手で掴む様子を示す図である。
【図７】従来のＷＳボトルの斜視図である。
【発明を実施するための形態】
【００１８】
リサイクル作業に手間がかからないように改良された取っ手付き包装体を得るという目的を、接着剤を使わずに、取っ手の端部を、被包装体である重量物本体の側面部の上における円筒状熱収縮性フィルムの熱収縮力により、上記側面部に押し付けて固定することによって実現した。以下、この発明の実施の形態および実施例を、図を用いて説明する。各図中、同一又は相当する部分には同一の参照番号を付し、その説明を繰り返さない。
（実施の形態１）
【００１９】
図１（Ａ），（Ｂ）に示すように、取っ手付き包装体６は、被包装体である重量物本体１０を含む。重量物本体１０は、天面部７と底面部８とこれらをつなぐ側面部９を有する。側面部９から底面部８に跨るように、滑りの悪い材料で形成された帯状の取っ手１１が配置されている。円筒状熱収縮性フィルム１２は、帯状の取っ手１１を挟むように、重量物本体１０の側面部９を外側から囲むように配置される。円筒状熱収縮性フィルム１２は矢印Ｐに示す方向に熱収縮し、重量物本体１０の側面部９に密着している。円筒状熱収縮性フィルム１２には、例えばＯＰＳ（グンゼ（株）ＧＭＮタイプ）を使用した。
【００２０】
帯状の取っ手１１の両端部１１ａ，１１ａ（側面部９と接触する部分）は、円筒状熱収縮性フィルム１２の、重量物本体１０の側面部９の上における熱収縮力により、重量物本体１０の側面部９に押し付けられて固定されている。持ち運ぶ際は、図１（Ｃ）に示すように、重量物本体１０を上下逆さまにして、帯状の取っ手１１を手１９で掴む。帯状の取っ手１１は滑りの悪い材料で形成されているので、円筒状熱収縮性フィルム１２と重量物本体１０の側面部９との間に挟まれて、摩擦力により抜け落ちない。帯状の取っ手１１は、取っ手（手でつかんだりするために取り付けたつまみ）として充分に機能する。
【００２１】
帯状の取っ手１１の両端部１１ａ，１１ａは、円筒状熱収縮性フィルム１２の側面部９の上における熱収縮力により、側面部９に押し付けられて固定される構成であるので、接着剤を使わない。したがって、リサイクルの際、円筒状熱収縮性フィルム１２を引き裂くだけで、取っ手１１を単離することができる。接着剤を剥がすという面倒な作業を必要としない。
（実施の形態２）
【００２２】
図２（Ａ）、（Ｂ）を参照して、本発明の実施の形態２に係る取っ手付き包装体が、実施の形態１と異なる点は、帯状の取っ手１１を、円筒状熱収縮性フィルム１２の内側に配置された、重量物本体１０の天面部７と底面部８と側面部９を縦方向に包む円筒状の取っ手用熱収縮性フィルム１５から形成している点である。取っ手用熱収縮性フィルム１５は矢印Ｑ方向に収縮する。
【００２３】
本実施の形態によれば、円筒状の取っ手用熱収縮性フィルム１５は、重量物本体１０の天面部７と底面部８と側面部９を縦方向に包むように巻きつく。円筒状熱収縮性フィルム１２は、取っ手用熱収縮性フィルム１５を挟むように、重量物本体１０の側面部９を外側から囲むように配置されて、矢印Ｐに示す方向に熱収縮し、重量物本体１０の側面部９に密着する。帯状の取っ手１１になる部分の両端部１１ａ，１１ａは、円筒状熱収縮性フィルム１２の、重量物本体１０の側面部９の上における熱収縮力により、側面部９に押し付けられて固定される。持ち運ぶ際は、図２（Ｃ）に示すように、重量物本体１０を上下逆さまにして、帯状の取っ手１１を手１９で掴む。帯状の取っ手１１は抜け落ちないので、取っ手として充分に機能する。また、接着剤を使わないので、リサイクルの際、接着剤を剥がすという面倒な作業を必要としない。
（実施の形態３）
【００２４】
図３（Ａ）、（Ｂ）、（Ｃ）を参照して、本実施の形態に係る取っ手付き包装体が、実施の形態１に係る取っ手付き包装体と異なる点は、円筒状熱収縮性フィルム１２が、その開放端が、重量物本体１０の向かい合う一方の１対の側面部９ａを露出させる方向に、かつ重量物本体１０の天面部７、底面部８及び向かい合う他方の一対の側面部９ｂを外側から包むように配置されている点である。円筒状熱収縮性フィルム１２の、重量物本体１０の底面部８に位置する部分に２本の切り込み線１６が入れられ、該２本の切り込み線１６で挟まれた部分が熱収縮して取っ手１１を形成している。
【００２５】
本実施の形態によれば、円筒状熱収縮性フィルム１２は、重量物本体１０の天面部７と底面部８と側面部９ｂを縦方向に包むように巻きつき、帯状の取っ手１１になる。帯状の取っ手１１になる部分の両端部１１ａ，１１ａは、円筒状熱収縮性フィルム１２の側面部９ｂの上における熱収縮力により、側面部９ｂに押し付けられて固定される。持ち運ぶ際は、図３（Ｄ）に示すように、重量物本体１０を上下逆さまにして、帯状の取っ手１１を手１９で掴む。このような構成であっても、取っ手として充分に機能する。また、取っ手１１の固定に接着剤を使わない。したがって、リサイクルの際、接着剤を剥がすという面倒な作業を必要としない。また、取っ手と円筒状熱収縮性フィルムとが一体になり、リサイクルの際に分別する手間が省ける。
（実施の形態４）
【００２６】
図４（Ａ）、（Ｂ）に示す、本実施の形態４に係る取っ手付き包装体は、天面部７と底面部８とこれらをつなぐ側面部９を有する重量物本体１０と、円筒状熱収縮性フィルム１２とを備える。円筒状熱収縮性フィルム１２は、重量物本体１０の側面部９を外側から囲むように、かつその下方端が上記底面部８から下方にはみ出すように設けられて熱収縮して、側面部９に密着する。円筒状熱収縮性フィルム１２は、熱収縮後に重量物本体１０の肩部を包むように、その上方端も上記天面部７から上方に、はみ出すのが好ましい。円筒状熱収縮性フィルム１２のはみ出し部分１２ａが収縮して取っ手１１になっている。取っ手１１の端部１１ａは、円筒状熱収縮性フィルム１２の上記側面部９の上における熱収縮力により、重量物本体１０の側面部９に押し付けられて固定されている。
【００２７】
このような構成であっても、図４（Ｃ）に示すように、取っ手１１を手１９で掴むことができ、取っ手として充分に機能する。また、接着剤を使わないので、リサイクルの際、接着剤を剥がすという面倒な作業を必要としない。また、取っ手と円筒状熱収縮性フィルムとが一体になり、リサイクルの際に分別する手間が省ける。
【００２８】
以下、実施例について説明する。
【実施例１】
【００２９】
本実施例１では、重量物本体の具体例として、ＷＳボトル（例えば１２リットル）を例示して説明する。図５（Ａ）、（Ｂ）を参照して、ＷＳボトル１７は、天面部７と底面部８とこれらをつなぐ側面部９を有する。ＷＳボトル１７にはミネラルウォーター１３が収容される。
【００３０】
取っ手１１は、円筒状熱収縮性フィルム１２（絵柄が印刷された熱収縮性ラベルが用いられる）の内側に配置された、天面部７と底面部８と側面部９を縦方向に包む円筒状の取っ手用熱収縮性フィルム１５から形成される。取っ手用熱収縮性フィルム１５には、天面部７において、首部１４を出すための孔が設けられる。取っ手用熱収縮性フィルム１５は、矢印Ｑに示す方向に収縮し、帯状の取っ手１１になる。円筒状熱収縮性フィルム１２は、取っ手用熱収縮性フィルム１５を挟むように、ＷＳボトル１７の側面部９を外側から囲むように設けられて、取っ手用熱収縮性フィルム１５を挟むように、矢印Ｐに示す方向に熱収縮し、ＷＳボトル１７の側面部９に密着する。帯状の取っ手１１の両端部１１ａ，１１ａは、円筒状熱収縮性フィルム１２の、ＷＳボトル１７の側面部９の上における熱収縮力により、側面部９に押し付けられて固定される。図５（Ｃ）に示すように、帯状の取っ手１１を右手１９ａで掴み、ＷＳボトル１７を上下逆さまにして、左手１９ｂでＷＳボトル１７の本体を支えて、首部１４を下に向け、ウォーターサーバー２０に取り付ける。
【実施例２】
【００３１】
複数個の重量物本体をダンボール箱を詰めて包装する場合、顧客先で使用後、ダンボール箱は廃棄され、無駄になる。本実施例によれば、このような複数個の重量物本体の集積体をダンボール箱を用いずに包装することができる。
【００３２】
図６（Ａ）に示すような、ばらばらの複数個の重量物１０を、図６（Ｂ）に示すように、集め並べて、天面部７と底面部８とこれらをつなぐ側面部９を有するように積み上げて、集積体１８とする。図６（Ｃ）に示すように、集積体１８の側面部９から底面部８に跨るように、滑りの悪い材料で形成された帯状の取っ手１１を配置し、その周りに、円筒状熱収縮性フィルム１２を、囲むように配置する。円筒状熱収縮性フィルム１２は、帯状の取っ手１１を挟みながら、矢印Ｐに示す方向に熱収縮し、側面部９に密着する。帯状の取っ手１１の両端部１１ａ，１１ａは、円筒状熱収縮性フィルム１２の、集積体１８の側面部９の上における熱収縮力により、集積体１８の側面部９に押し付けられて固定される。図６（Ｄ）に示すように、持ち運ぶ際は、帯状の取っ手１１を手１９で掴んで、集積体１８を上下逆さまにする。帯状の取っ手１１は滑りの悪い材料で形成されているので、熱収縮した円筒状熱収縮性フィルム１２と集積体１８の側面部９との間に挟まれて、摩擦力により抜け落ちない。
【００３３】
上記実施例では、重量物本体の具体例として、ＷＳボトルと集積体を例示したが、この発明はこれらに限られるものでなく、取っ手を付けて包装し、搬送する重量物の全てに適用できる。
【００３４】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３５】
本発明に係る取っ手付き包装体によれば、リサイクルの際、面倒な作業を必要とせず、手間がかからない。
【符号の説明】
【００３６】
１ ボトル本体
２ 取っ手
３ 底面
４ 側面
５ ウォーターサーバー
６ 取っ手付き包装体
７ 天面部
８ 底面部
９，９ａ、９ｂ   側面部
１０      重量物本体
１１      取っ手
１１ａ    取っ手の端部
１２      円筒状熱収縮性フィルム
１３      ミネラルウォーター
１４      首部
１５      取っ手用熱収縮性フィルム
１６      切り込み線
１７      ウォーターサーバー用ボトル（ＷＳボトル）
１８      集積体
１９      手
２０      ウォーターサーバー
Ｐ，Ｑ    収縮方向
【図１】
2017071411.tif 000003
【図２】
2017071411.tif 000004
【図３】
2017071411.tif 000005
【図４】
2017071411.tif 000006
【図５】
2017071411.tif 000007
【図６】
2017071411.tif 000008
【図７】
2017071411.tif 000009